(57)【要約】      （修正有）【課題】ケーブルとコネクタとの間の機械的保持力を増加するコネクタ装置及びその製造方法を提供する。【解決手段】コネクタ装置１００に関し、前記コネクタ装置は、コネクタ１０１と、コネクタに接続されたケーブル１０３とを備え、前記ケーブルは、剥離領域まで延伸されたシースと、及び剥離領域に形成されてシースから離間したスリーブとを備えることで、前記シースと前記スリーブが環状溝を形成し、前記コネクタ装置は、前記コネクタからシースまで延伸された外部導体コンタクト１０４を有し、また環状溝の位置に半径方向の凹部を有する。【選択図】図１
2019021632.tif 000002
【特許請求の範囲】
【請求項１】
コネクタ（１０１）と、コネクタに接続されたケーブル（１０３）とを備えるコネクタ装置（１００）であって、
前記ケーブルは、前記ケーブルと前記コネクタとの接続領域に少なくとも１つの凹部を有し、
前記コネクタは、前記コネクタから前記ケーブルの前記接続領域（１０５）まで延伸される、且つ凹部（１０６）のある接続領域の表面に対応して形成される外部導体コンタクト（１０４）を有し、
ケーブルは、剥離領域まで延伸されたシース（１０９）と、剥離領域に形成されてシースから離間したスリーブ（１１１）とを備えることで、前記シースと前記スリーブが前記ケーブルの凹部を形成し、
前記外部導体コンタクトは、前記ケーブルのシースまで延伸され、また前記ケーブルの凹部（１０６）の位置に１つの凹部（１０７）を備え、前記外部導体コンタクトの凹部は、前記ケーブルの凹部に対応されることで、外部導体コンタクトがケーブル上に加える保持力を増加させ、
ケーブルは、外部導体（１１３）及び内部導体とを有し、前記外部導体（１１３）及び内部導体は、シース（１０９）によって絶縁して離間され、前記外部導体は、前記接続領域においてスリーブを包み、及び、
前記ケーブルの前記外部導体は、コネクタ装置の外部導体コンタクトによって前記外部導体コンタクトの凹部の領域に締め付けられることを特徴とするコネクタ装置。
【請求項２】
前記ケーブルは、前記接続領域において、突起部を形成する少なくとも１つのプラスチックリングを有し、前記外部導体コンタクトは、前記プラスチックリングに対応される突起部を有することを特徴とする請求項１に記載のコネクタ装置。
【請求項３】
前記スリーブは、スリーブからケーブルに半径方向の内向きの力を加える保持部材（１１７）を有することを特徴とする請求項１ないし２中のいずれか一項に記載のコネクタ装置。
【請求項４】
前記保持部材は、スリーブの部分円周状の突起部として形成されることを特徴とする請求項３に記載のコネクタ装置。
【請求項５】
前記コネクタは、凹部で前記ケーブルをクランプすることを特徴とする請求項１ないし４のいずれか一項に記載のコネクタ装置。
【請求項６】
前記外部導体コンタクトは、前記シースをクランプすることを特徴とする請求項５に記載のコネクタ装置。
【請求項７】
コネクタ（１０１）とコネクタに接続されたケーブル（１０３）とを備えるコネクタ装置（１００）の組立方法であって、
シース（１０９）を有するケーブルを提供する段階と、
前記ケーブルに接続しようとするコネクタを提供する段階と、
前記ケーブルのシース領域（１１９）と剥離領域（１２１）が生成されるように、前記ケーブルを剥離する段階と、
スリーブが前記シースと一緒に前記ケーブルの凹部（１０６）を形成するように、前記ケーブルの剥離領域に前記スリーブを接合する段階と、
コネクタの外部導体コンタクトが、前記ケーブルの凹部に、前記外部導体コンタクトが前記ケーブル上に加える保持力を増加させる前記外部導体コンタクトの凹部（１０７）を有するように、前記ケーブルの凹部で外部導体コンタクトを凹ませることを特徴とするコネクタ装置の組立方法。
【発明の詳細な説明】
【技術分野】
【０００１】
本発明は、ケーブルとコネクタとを有するコネクタ装置に関する。
【背景技術】
【０００２】
ケーブルをコネクタに接続するために、接続領域においてケーブルとコネクタを押し合うことがよく知られている。その過程で、ケーブルがコネクタに押圧される力は、ケーブルとコネクタとの間の機械的保持力に影響を及ぼす。ここで、押し合うことにより、ケーブルの変形とコネクタの変形を伴うという問題があった。このような変形は、コネクタ装置の電気的特性に不都合な影響を及ぼす。
【０００３】
欧州特許出願公開ＥＰ３２４２３５９Ａ１には、コネクタとこのコネクタに接続されたケーブルとを有するコネクタ装置が開示されており、ケーブルは、ケーブルとコネクタとの接続領域において少なくとも１つの凹部を有し、コネクタは、ケーブルの接続領域まで延伸される、かつ凹部を有する接続領域の表面に対応するように形成された外部導体コンタクトを有し、前記ケーブルは、剥離領域まで延伸されたシースと、剥離領域に形成されてシースと離間したスリーブとを有する。このように、シースとスリーブは、ケーブルの凹部を形成し、前記外部導体コンタクトは、ケーブルのシースまで延伸され、またケーブルの凹部の位置には、このケーブルの凹部に対応する１つの凹部があって、またケーブル上に外部導体コンタクトの保持力を増加させ、前記ケーブルは、シースによって絶縁して離間された外部導体と内部導体とを有し、外部導体は、接続領域中のスリーブに包まれる。
【０００４】
従って、外部導体、特に編組シールドは、前記コネクタと前記ケーブルとを接続した後に、その構造および／または位置を変更することができる。
【０００５】
これは、改善の価値のある状況である。
【発明の概要】
【発明が解決しようとする課題】
【０００６】
このような背景に対して、本発明は、ケーブルとコネクタとの間の保持力が増加され、コネクタ装置の電気的特性が改善されたコネクタ装置を特定することを目的とする。
【課題を解決するための手段】
【０００７】
本発明によれば、前記目的は、請求項１の特徴を有するコネクタ装置および／または請求項７の特徴を有する方法によって達成される。
【０００８】
本発明の基本的な考え方は、ケーブル及びコネクタの外部導体コンタクトを介して、当該ケーブルの一端の領域には、コネクタに接続された階段状の表面を有し、当該コネクタの外部導体コンタクトは、当該接続領域の階段状の表面に対応するように形成されることで、コネクタがケーブルに加える保持力を増加させる。
【０００９】
本発明によれば、ケーブルは、剥離領域まで延伸されたシースと、及び剥離領域に形成されてシースと離間したスリーブとを備えることで、シースとスリーブがケーブルの凹部を形成する。
【００１０】
前記技術は、非常に有利であり、その理由は、ケーブルは一般的にはシースを有するが、コネクタ装置は、一般的にはスリーブを有することである。だから、別途に他の素子をコネクタ装置に追加する必要がない。従って、前記組立の段階に基づいて、追加費用は発生せず、また前記コネクタ装置はわずかに調整する必要があるだけである。
【００１１】
言うまでもなく、凹部は、突起部によって中断されることができる。例えば、プラスチックリングを、凹部の領域においてケーブルを囲む突起部として設置することができる。プラスチックの使用は、プラスチックがコネクタ装置の電気的特性に影響を与えないので有利である。
【００１２】
本発明によれば、外部導体コンタクトは、ケーブルのシースまで延伸され、またケーブルの凹部の位置において、当該ケーブルの凹部に対応する一つの凹部を有することで、ケーブルの外部導体の接触の保持力を増加させる。
【００１３】
本発明の実施例は、組立の段階に容易に実現される。
【００１４】
選択的に、外部導体コンタクトは、追加の突起部を有することができる。
【００１５】
本発明によれば、前記ケーブルは、外部導体及び内部導体を有し、前記外部導体及び内部導体は、シースにより絶縁して離間され、前記外部導体は、前記接続領域中のスリーブに包まれる。
【００１６】
本発明によれば、ケーブルの外部導体は締め付けられ、具体的には、コネクタ装置の外部導体のコンタクトによって、スリーブと外部導体コンタクトの凹部との間の領域において挟められる。これによって、ケーブルの外部導体は、別途の組立の段階なしにさらに締め付けられることができる。
【００１７】
これによって、ケーブルとコネクタの対応する階段状の表面に基づいて保持力が既に高められているので、ケーブルをコネクタに押圧する力を小さくすることができる。これは、コネクタ装置の電気的特性に積極的な影響を与え、その理由は、押し合うことは、一般的にコネクタ装置の電気的特性に対して有利ではない。
【００１８】
有利な配置及び改善は、さらなる従属請求項及び図面を参照した明細書から明確に確定することができる。
【００１９】
言うまでもなく、上述した特徴と後述する特徴は、本発明の趣旨を逸脱しない範囲において、各都合により特定される組み合わせのみならず、さらに他の組み合わせ又は単独で使用することができる。
【００２０】
本発明の有利な実施例によれば、ケーブルは、接続領域に突起部を形成する少なくとも１つのプラスチックリングを有し、外部導体コンタクトは、プラスチックリングに対応する突起部を有する。
【００２１】
言うまでもなく、“リング”という用語は、例えば、当該カバーがケーブル上に十分な保持力を示すことを前提とすれば、Ｃ形ケーブルのカバーのような部分的な円周状も含まれる。
【００２２】
特に有利なのは、プラスチックリングは、ケーブルのシースと同じ材料で作られ、これは、ケーブルが剥がされるときに余分なシース材料が徐々に生成されるので、材料を節約することができる。
【００２３】
選択的に、プラスチックリングは、より硬いプラスチックで作られることもできる。これは、Ｃ形カバーがケーブルを容易につかむことができるので、Ｃ形カバーに特に有利である。
【００２４】
コネクタ装置の構造によると、導電性材料をプラスチックリングの内側に塗ることは有利であり得ることによって、コネクタ装置の電気的特性を改善することができる。
【００２５】
コネクタ装置の適用分野に応じて、ケーブルは、編組シールドの形態の外部導体を有する。これにより、ケーブルに十分な電磁シールドが保証される。ケーブルの外部導体がスリーブを囲んで包むことにより、外部導体がスリーブ上に締め付けることを保証し、外部導体の摺動を防止することができる。
【００２６】
本発明の有利な実施例によれば、スリーブは、スリーブからケーブルに半径方向の内向きの力を加える保持部材を有する。これによって、スリーブがケーブル上を摺動しないことをさらに保証することができる。
【００２７】
本発明の有利な実施例によれば、前記保持部材は、具体的に、スリーブのシース側の端部において、スリーブの部分円周状突起部として形成される。これにより、スリーブの保持力を容易に高めることができる。このような設計は、全円周狭窄または全円周内向き圧力と比較して、部分円周狭窄または部分円周内向き圧力は、コネクタ装置のインピーダンスに僅かな影響しか及ぼさず、スリーブの機械的保持力の著しい増加を確実にする。
【００２８】
本発明の有利な実施例によれば、コネクタは、凹部および／または突起部において、ケーブルをクランプする。この接続技術は、十分な保持力を保証する。
【００２９】
本発明の有利な実施例によれば、シースは、外部導体コンタクトにまでクランプされる。これによって、機械的保持力がさらに向上される。
【００３０】
適切な場合において、必要に応じて、前記構成および進歩を互いに組み合わせることができる。本発明のさらなる可能な構成、進歩および実施には、明示的に言及されていない前記例示的な実施例に関する上述したまたは後述する文章における本発明の特徴の組み合わせも含まれる。特に、当業者は、個々の態様を、本発明の特定の基本的形態への改善または追加として加えてもよい。
【図面の簡単な説明】
【００３１】
以下の本文において、例示的な実施例に基づいて本発明に対してより詳細に説明し、前記例示的な実施例は、図面の模式図により示される。
【図１】本発明に係るコネクタ装置の一実施例を示す斜視模式図である。
【図２】本発明に係るコネクタ装置の一実施例を示す斜視模式図である。
【図３】本発明に係るコネクタ装置の一実施例を示す斜視模式図である。
【図４】本発明に係るコネクタ装置の一実施例を示す分解模式図である。
【図５】本発明に係るコネクタ装置の一実施例を示す模式図である。
【図６】本発明に係るコネクタ装置の一実施例を示す模式図である。
【図７】本発明に係るコネクタ装置の一実施例を示す模式図である。
【図８】本発明に係るコネクタ装置の一実施例を示す模式図である。
【００３２】
図面は、本発明の実施例のさらなる理解を提供することを意図している。図面は、実施例を例示するために使用され、文字の描写に合わせて本発明の原理と概念を解釈する。図面に基づいて、他の実施例と多くの前記利点は、明らかになるだろう。図面中の素子は、必ずしも比例によって表示されない。
【００３３】
図面において、特に断りのない限り、各同一な、機能の同一なまたは役割の同一な素子、特徴、部材には、同一の参考符号を付いている。
【００３４】
以下には、これらの図面を一貫かつ包括的に説明する。
【発明を実施するための形態】
【００３５】
図１は、本発明に係るコネクタ１０１及びケーブル１０３を有するコネクタ装置１００の実施例を示す。コネクタ１０１は、ケーブル１０３の一端に設置された外部導体コンタクト１０４を有する。ケーブル１０３は、コネクタ１０１の外部導体コンタクト１０４がケーブル１０３のシース１０９の開始領域までずっと延伸されるように剥がされる。
【００３６】
外部導体コンタクト１０４は、ケーブル側の端部領域に凹部１０７を有する。凹部１０７の裏側には、凹部１０７に対応するケーブルの凹部１０６がある。外部導体コンタクト１０４は、凹部１０７でケーブル１０３にクランプされたことで、外部導体コンタクト１０４がケーブル１０３に締め付けられる。外部導体コンタクト１０４をケーブル１０３に押圧する力は、凹部１０７または１０６があるため、ケーブル１０３または外部導体コンタクト１０４の階段状の表面が既に十分な保持力（ｈｏｌｄｉｎｇ  ｆｏｒｃｅ）を確保した原理によって、大幅に低減することができる。
【００３７】
図２は、組立の段階におけるコネクタ装置１００を示し、外部導体コンタクト１０４が既にケーブル１０３を受け取ったが、外部導体コンタクト１０４はまだ閉じられていない。外部導体コンタクト１０４の裏には、ケーブルの外部導体１１３が見える。外部導体１１３は、編組シールドの形態である。スリーブ１１１は、外部導体１１３の裏側に設置され、外部導体１１３は、スリーブ１１１またはトラクションスリーブ１１１を包む。スリーブ１１１は、ケーブルの凹部１０６を制限する。
【００３８】
ケーブル１０３とコネクタ１０１との間には、狭窄部分１２７が設けられている。ケーブル１０３は、適当な位置にクランプされ、狭窄部分１２７の漏斗状領域によってしっかりと保持される。
【００３９】
コネクタ装置１００の外部導体が、ケーブル１０３の編組シールド１１３または外部導体からコネクタの外部導体コンタクト１０４に遷移するその点は、図３から明らかに分かった。
【００４０】
また、図３に示されるように、ケーブル１０３の外部導体１１３は、支持スリーブ１１１の下方に延伸し、支持スリーブ１１１の先端にこの支持スリーブ１１１を包み込み、外部導体接触１０４及び凹部１０７によって支持スリーブ１１１の後端にしっかりと保持される。
【００４１】
図４は、本発明に係るケーブル１０３とカバー１２５に挿入されたコネクタ１０１とを有するコネクタ装置１００の分解模式図を示す。組立の状態では、内部導体コンタクト１１５がコネクタ１０１のインターフェース側の端部に取り付けられる。一旦、ケーブル１０３が一端で剥離されると、スリーブ１１１は、当該剥離の端部に押し込まれる。
【００４２】
図５及び図６は、本発明に係るケーブル１０３の詳細の側面模式図である。ケーブルは、シース１０９が既にケーブル１０３から除去された剥離領域１２１を有する。一旦、ケーブル１０３が剥離されると、スリーブ１１１は、剥離領域１２１に押し込まれる。スリーブ１１１は、スリーブ１１１がケーブル１０３上に摺動することを防止するために、半径方向の内向きに作用する力をケーブル１０３に加える保持部材１１７を備える。保持部材１１７は、部分的な円周の形態に形成され、このような設計により、保持部材１１７の直径がスリーブ体に対して変化することがコネクタ装置のインピーダンスに対してできるだけ小さい影響を与える。ケーブル１０３の編組シールドの一部や一部のストランドが磨耗されることを防止するために、ケーブルのコネクタ側の端部にリング状のシース部が取り付けられる。
【００４３】
図７は、組立準備が完了した内部導体コンタクト及びスリーブが組み立てられたケーブルの模式図である。
【００４４】
図８は、本発明に係るコネクタ装置の凹部１０６の近傍の分層構造を示す。ここから、外部導体コンタクト１０４及びスリーブ１１１上に位置する外部導体１１３の上層だけが内向きに変形したことが分かる。これによって、コネクタ装置の残りの素子の電気的特性は、大幅に保留されることができる。
【００４５】
以上、本発明を好ましい例示的な実施例に基づいて説明したが、本発明はこれに限定されるものではなく、様々な方式で変更することができる。
【符号の説明】
【００４６】
１００  コネクタ装置
１０１  コネクタ
１０３  ケーブル
１０４  外部導体コンタクト
１０５  接続領域
１０６  凹部
１０７  凹部
１０９  シース
１１１  スリーブ
１１３  外部導体
１１５  内部導体コンタクト
１１７  保持部材
１１９  シース領域
１２１  剥離領域
１２３  絶縁部分
１２５  カバー
１２７  狭窄部分
【図１】
2019021632.tif 000003
【図２】
2019021632.tif 000004
【図３】
2019021632.tif 000005
【図４】
2019021632.tif 000006
【図５】
2019021632.tif 000007
【図６】
2019021632.tif 000008
【図７】
2019021632.tif 000009
【図８】
2019021632.tif 000010
【手続補正書】
【提出日】平成30年8月16日(2018.8.16)
【手続補正１】
【補正対象書類名】明細書
【補正対象項目名】０００３
【補正方法】削除
【補正の内容】
【手続補正２】
【補正対象書類名】明細書
【補正対象項目名】０００４
【補正方法】削除
【補正の内容】
【外国語明細書】
2019021632000001.pdf
2019021632000002.pdf
2019021632000003.pdf
2019021632000004.pdf